(57)【要約】【課題】印刷処理の際に発生する熱の影響を受けることなく、画像形成装置に既存の温度センサーの検知する温度に基づいて、定着温度の補正制御を的確に行うことが可能な画像形成装置を提供する。【解決手段】記録シートにトナーを熱定着する画像形成装置であって、画像形成装置内部の温度を検知する温度センサーと、温度記憶手段と、前記温度センサーが検知する温度を逐次参照し（ステップＳ３０７）、参照した温度が、記憶されている温度よりも低い場合には、記憶されている温度を参照した温度に更新する更新処理を行い、参照した温度が、記憶されている温度よりも低くない場合には、前記更新処理を抑止する更新制御手段と（ステップＳ３０６、３０８）、記憶されている温度に応じて定着温度を決定する決定手段とを備える。【選択図】図３
2009103995.tif 000002
【特許請求の範囲】
【請求項１】
記録シートにトナーを熱定着する画像形成装置であって、
画像形成装置内部の温度を検知する温度センサーと、
温度記憶手段と、
前記温度センサーが検知する温度を逐次参照し、参照した温度が、記憶されている温度よりも低い場合には、記憶されている温度を参照した温度に更新する更新処理を行い、
参照した温度が、記憶されている温度よりも低くない場合には、前記更新処理を停止する更新制御手段と、
記憶されている温度に応じて定着温度を決定する決定手段と
を備えることを特徴とする画像形成装置。
【請求項２】
前記温度記憶手段は、前記更新制御手段により、前記温度センサーが検知する温度の参照が行われる毎に、参照時刻を記憶し、
前記更新制御手段は、前記温度センサーが検知する温度の参照時刻が、その直前の参照時刻から所定時間以上経過している場合には、参照した温度と、前記温度記憶手段に記憶されている温度との高低関係に関わらず、記憶されている温度を参照した温度に更新する
ことを特徴とする請求項１記載の画像形成装置。
【請求項３】
前記画像形成装置は、
前記画像形成装置内部の湿度を検知する湿度センサーと、
前記湿度センサーが検知した湿度に応じて、前記決定手段によって決定された定着温度を補正する補正手段と
を備えることを特徴とする請求項１又は２記載の画像形成装置。
【請求項４】
前記画像形成装置は内部に、記録シートにトナーを転写する転写装置を備え、
前記温度センサーは、転写装置近傍の温度を検知する
ことを特徴とする請求項１〜３の何れかに記載の画像形成装置。
【請求項５】
前記画像形成装置は内部に、記録シートにトナーを熱定着する定着装置を備え、
前記温度センサーは、定着装置近傍の温度を検知する
ことを特徴とする請求項１〜３の何れかに記載の画像形成装置。
【発明の詳細な説明】
【技術分野】
【０００１】
本発明は、複写機、プリンタ、ファックス若しくはこれらの複合機等の画像形成装置に関し、特に、画像形成装置における定着温度を適正に補正制御し、トナーの定着不良を防止する技術に関する。
【背景技術】
【０００２】
近年、画像形成装置においては、消費電力の低減、ウォーミングアップ時間の短縮を図るため、フィルム加熱方式や電磁誘導加熱方式の定着装置により、トナー定着を行う画像形成装置が利用されるようになってきている。
フィルム加熱方式の定着装置では、昇温の速い加熱体と熱容量の小さい薄膜の定着フィルムを用いるため熱効率が良く、ウエイトタイムの短縮、省エネルギー化が可能である。
【０００３】
又、電磁誘導加熱方式の定着装置では、磁束が集中することによって、熱容量の小さい加熱体が電磁誘導発熱するので、昇温が速く、ウォーミングアップ時間を短縮することができるとともに、発熱効率が良いので、発熱に要する消費電力を低減することができる。
しかし、反面、上記のような加熱方式では、加熱体の熱容量が小さいため、記録シートと加熱体とが接触したときに加熱体の熱が奪われやすく、記録シートの温度が低いと、トナーの定着不良が生じるおそれがある。
【０００４】
特許文献１には、トナー定着の際の記録シートの温度を推定するために、記録シートの収納場所周辺の環境温度を専用の温度センサーを用いて検知し、その検知温度に基づいて、定着温度を補正制御し、トナーの定着性を向上させる技術が開示されている。
これにより、熱容量の小さい加熱体による加熱方式を利用する定着装置を有する画像形成装置において、トナーの定着不良が生じるのを有効に防止することができる。
【特許文献１】特開２００３−２８０４６５号公報
【発明の開示】
【発明が解決しようとする課題】
【０００５】
しかしながら、記録シートの収納場所周辺の環境温度を検知するために、画像形成装置の既存の温度センサーとは別に専用の温度センサーを設けることは、製造コストの上昇につながり、コスト上のデメリットが大きいという問題が生じる。
又、コスト上のデメリットをなくすために、画像形成装置に設けられている既存の温度センサーの検知する温度を前記環境温度として代用しようとすると、これらの機内温度センサーは、印刷処理時に発生する熱の影響を受けやすい位置（例えば、転写ローラや加熱ローラの近傍）に配されているので、その検知温度が印刷処理時に一時的に発生する熱の影響で、前記環境温度より高くなり、検知温度と前記環境温度との間に解離が生じ、機内温度センサーの検知温度によって前記環境温度を正確に反映できないという問題が生じる。
【０００６】
本発明は、上記問題点に鑑み、印刷処理の際に発生する熱の影響を受けることなく、画像形成装置に既存の温度センサーの検知する温度に基づいて、定着温度の補正制御を的確に行うことが可能な画像形成装置を提供することを目的とする。
【課題を解決するための手段】
【０００７】
上記課題を解決するために、記録シートにトナーを熱定着する画像形成装置であって、画像形成装置内部の温度を検知する温度センサーと、温度記憶手段と、前記温度センサーが検知する温度を逐次参照し、参照した温度が、記憶されている温度よりも低い場合には、記憶されている温度を参照した温度に更新する更新処理を行い、参照した温度が、記憶されている温度よりも低くない場合には、前記更新処理を停止する更新制御手段と、記憶されている温度に応じて定着温度を決定する決定手段とを備える。
【０００８】
又、前記画像形成装置は内部に、記録シートにトナーを転写する転写装置を備え、
前記温度センサーは、転写装置近傍の温度を検知することとすることができる。
又、前記画像形成装置は内部に、記録シートにトナーを熱定着する定着装置を備え、
前記温度センサーは、定着装置近傍の温度を検知することとすることができる。
【発明の効果】
【０００９】
本発明は、上記構成を備えることにより、画像形成装置内の既存の温度センサーよって、それまでに検知された温度の内、温度が最も低い温度に基づいて、定着温度が決定されるので、既存の温度センサーの検知温度を利用した場合においても、印刷処理による画像形成装置内の温度上昇のように、記録シートの温度上昇とは関係のない要因による温度上昇の影響を受けることなく、記録シートの温度を近似的に反映した形で、定着温度の補正制御を的確に行うことができる。
【００１０】
従って、既存の温度センサーの検知温度を利用して、定着温度の補正制御行った場合においても、画像形成装置において、印刷処理による温度上昇によって、誤って記録シートの温度が高いと判断されて、定着温度が、低めに制御され、トナーの定着不良が発生するのを有効に防止することができる。
ここで、前記温度記憶手段は、前記更新制御手段により、前記温度センサーが検知する温度の参照が行われる毎に、参照時刻を記憶し、前記更新制御手段は、前記温度センサーが検知する温度の参照時刻が、その直前の参照時刻から所定時間以上経過している場合には、参照した温度と、前記温度記憶手段に記憶されている温度との高低関係に関わらず、記憶されている温度を参照した温度に更新することとすることができる。
【００１１】
これにより、例えば、画像形成装置の電源オフにより、温度センサーによる温度検知が所定時間以上行われなかった後に、電源がオンされたような場合には、温度センサーが、電源オン後に検知した温度に基づいて定着温度が補正制御されるので、電源オフ状態の期間に、室温の上昇により、記録シートの収納場所近傍の環境温度が上昇したような場合でも、その温度上昇を反映した形で定着温度の補正制御を的確に行うことができる。
【００１２】
ここで、前記画像形成装置は、前記画像形成装置内部の湿度を検知する湿度センサーと、
前記湿度センサーが検知した湿度に応じて、前記決定手段によって決定された定着温度を補正する補正手段とを備えることとすることができる。
これにより、画像形成装置内部の湿度が高く、記録シートの含水率が高いことが予測される場合には、定着温度が低められるので、記録シートにカールが発生するのを軽減することができる。
【発明を実施するための最良の形態】
【００１３】
以下本発明を実施するための最良の形態について説明する。
＜構成＞
図１は、本実施の形態における画像形成装置１００の全体の構成を示す断面概略図である。
図1に示すように、画像形成装置１００は、画像プロセス部３０、給送部４０、定着装置５０および制御部６０を備えており、ネットワーク（例えばＬＡＮ）と接続される。
【００１４】
画像形成装置１００は、外部の端末装置（不図示）からの印刷（プリント）ジョブの実行指示を受け付けると、その指示に基づいてイエロー、マゼンタ、シアンおよびブラック色からなるカラーの画像形成を実行する。以下、イエロー、マゼンタ、シアン、ブラックの各再現色をＹ、Ｍ、Ｃ、Ｋと表し、各再現色に関連する構成部分の番号にこのＹ、Ｍ、Ｃ、Ｋを添字として付加する。
（光学部１０）
レーザダイオードなどの発光素子を備え、制御部６０からの駆動信号により、Ｙ〜Ｋ色の画像形成のためのレーザ光Ｌを発し、感光体ドラム３１Ｙ〜３１Ｋを露光走査させる。この露光走査により、帯電器３２Ｙ〜３２Ｋにより帯電された感光体ドラム３１Ｙ〜３１Ｋ上に静電潜像が形成される。
（画像プロセス部３０）
Ｙ〜Ｋ色のそれぞれに対応する作像部３０Ｙ、３０Ｍ、３０Ｃ、３０Ｋ、中間転写ベルト１１などを備えている。
【００１５】
作像部３０Ｙは、感光体ドラム３１Ｙ、その周囲に配設された帯電器３２Ｙ、現像器３３Ｙ、一次転写ローラ３４Ｙ、感光体ドラム３１Ｙを清掃するためのクリーナ３５Ｙなどを備えており、感光体ドラム３１Ｙ上にＹ色のトナー像を作像する。他の作像部３０Ｍ〜３０Ｋも、同様にして対応する色のトナー像を作像する。
作像された各色のトナー像は、一次転写ローラ３４Ｙの静電力により中間転写ベルト１１上に順次転写される。
【００１６】
中間転写ベルト１１上に重ね合わされた各色トナー像は、中間転写ベルト１１の回転により、図１の符号４６で示す二次転写位置に移動する。
中間転写ベルト１１は、無端状のベルトであり、駆動ローラ１２と従動ローラ１３に張架されて矢印Ａ方向に回転駆動される。
（給送部４０）
記録シートＳを収容する給シートカセット４１と、給シートカセット４１内の記録シートＳを搬送路４３上に１枚ずつ繰り出す繰り出しローラ４２と、繰り出された記録シートＳを二次転写位置４６に送り出すタイミングをとるためのタイミングローラ対４４と、二次転写ローラ４５、転写電圧制御用温度センサー４７、転写電圧制御用湿度センサー４８を備え、転写電圧制御用温度センサー４７、転写電圧制御用湿度センサー４８は、二次転写ローラ４５の近傍に設けられている。
【００１７】
給送部４０は、中間転写ベルト１１上に重ね合わされた各色トナー像の移動タイミングに合わせて、記録シートＳの基準位置を把握するタイミングローラ対４４を介して記録シートＳを二次転写位置４６へ給送する。
二次転写位置４６に給送された記録シートＳは、回転する中間転写ベルト１１と二次転写ローラ４５の間に挟まれて搬送され、二次転写ローラ４５の静電力により中間転写ベルト１１上に重ね合わされた各色トナー像が一括して記録シートＳ上に二次転写される。
（定着装置５０）
定着装置５０は、磁束発生部５３と、加熱ローラ５１と、加圧ローラ５２と、ローラ温度センサー５４とを備え、ローラ温度センサー５４と磁束発生部５３は、後述する定着温度制御部５５（図２参照）と接続されている。
【００１８】
（磁束発生部５３）
磁性体コアと励磁コイル等から構成され、加熱ローラ５１に向けて交番する磁束を発生させて誘導加熱する機能部である。
励磁コイルは、高周波インバー夕（不図示）に接続されており、１０〜１００［ｋＨｚ］、１００〜２０００［Ｗ］の高周波電力が供給されことにより、交番する磁束を発生する。
【００１９】
（加熱ローラ５１）
磁束発生部５３の近傍に回転自在に配され、芯金の表面に、断熱層、電磁誘導発熱性層、弾性層及び離型層がこの順で積層されてなる。
加熱ローラ５１のローラ硬度としては、ＡＳＫＥＲ‐Ｃ硬度で３０〜９０度程度となっている。
【００２０】
芯金は、外径が２０ｍｍ、厚みが４ｍｍのアルミニウム製であり、外周面における摺動性を高めるために、外周面を研磨するか、もしくはフッ素樹脂コーティングされている。
断熱層は、電磁誘導発熱性層を断熱保持し、電磁誘導発熱性層の発熱効率を高めるための層である。断熱層１０４の材質としては、弾性及び耐熱性が高いゴム材料や樹脂材のスポンジ体（断熱構造体）が用いられる。
【００２１】
電磁誘導発熱性層は、厚みが１０〜１００μｍ、望ましくは、２０〜５０μｍの無端状のニッケル電鋳ベルト層であり、磁束発生部５３で発生した磁束により渦電流が生じ、電磁誘導発熱性層がジュール発熱する。電磁誘導発熱性層は、熱容量が小さく、昇温が早く、冷却されやすい。
弾性層は、記録シートＳと加熱ローラ５１の表面との密着性を高めるための層である。弾性層の材質としては、ゴム材や樹脂材が用いられ、例えば、定着温度での使用に耐えられるシリコンゴム、フッ素ゴム等の耐熱性エラストマーを用いることができる。
【００２２】
離型層は、加熱ローラ表面の離型性を高めるための層であり、定着温度での使用に耐えられるもので、トナー離型性を有するものが用いられる。
(加圧ローラ５２)
バネなどを用いた不図示の加圧機構によって加熱ローラ５１を押圧しながらモータなどにより回転駆動する
加圧ローラ５２は、回転駆動される芯金の外周面に、断熱層が設けられ、さらに断熱層の上に、加圧ローラ表面の離型性を高めるための離型層が設けられて構成される。
【００２３】
芯金は、例えば、厚さ３ｍｍのアルミニウム製のパイプからなる。
断熱層は、厚さ３ｍｍ〜１０ｍｍのシリコンスポンジゴムからなる層であり、厚さは使
用条件に応じて３ｍｍ〜１０ｍｍの範囲で変更することができる。
離型層は、厚みが１０μｍ〜５０μｍのフッ素系樹脂からなる無端状の帯体である。
（ローラ温度センサー５４）
加熱ローラ５１の表面温度を検知し、定着温度制御部５５に出力する。
＜記録シート温度決定処理及び定着温度決定処理に係る機能構成＞
図２は、画像形成装置１００の行う記録シート温度決定処理及び定着温度決定処理に係る、画像形成装置１００の機能構成を示す機能ブロック図である。
【００２４】
上記機能構成は、転写電圧制御用温度センサー４７、転写電圧制御用湿度センサー４８、温度記憶部６１、操作パネル部６２、定着温度制御部５５、タイマー部６３、制御部６０から構成される。
以下、図２を参照して各構成要素について説明する。
（転写電圧制御用温度センサー４７）
二次転写ローラ４５の近傍の環境温度（以下、「転写ローラ近傍温度」という。）を検知する温度センサーであり、検知された転写ローラ近傍温度に基づいて、二次転写ローラ４５に印加する転写電圧が決定される。
【００２５】
ここでは、転写電圧制御用温度センサー４７によって検知された転写ローラ近傍温度は、転写電圧の決定のためだけでなく、後述する定着温度決定処理において、定着温度を決定するためにも利用される。
（転写電圧制御用湿度センサー４８）
二次転写ローラ４５の近傍の環境湿度（以下、「転写ローラ近傍湿度」という。）を検知する湿度センサーであり、検知された転写ローラ近傍湿度に基づいて、二次転写ローラ４５に印加する転写電圧が決定される。
【００２６】
ここでは、転写電圧制御用湿度センサー４８によって検知された転写ローラ近傍湿度は、転写電圧の決定のためだけでなく、後述する定着温度決定処理において、定着温度を決定するためにも利用される。
（温度記憶部６１）
転写電圧制御用温度センサー４７によって検知された転写ローラ近傍温度と転写ローラ近傍温度の最終取得時刻とを対応付けて記録している。
【００２７】
ここで、「最終取得時刻」とは、転写ローラ近傍温度を最後に取得した時刻のことをいう。
温度記憶部６１に記録されている転写ローラ近傍温度は、後述する記録シート温度決定処理において、制御部６０によって最新に取得された転写ローラ近傍温度が、記録されている転写ローラ近傍温度よりも低い場合に、最新に取得された転写ローラ近傍温度に書き換えられる。
【００２８】
温度記憶部６１に記録されている最終取得時刻は、後述する記録シート温度決定処理において、制御部６０によって最新の転写ローラ近傍温度が取得される毎に、その取得時刻に書き換えられる。
以下、温度記憶部６１に記録されている、転写ローラ近傍温度と最終取得時刻とを含むデータのことを「記録シート温度決定用データ」という。
【００２９】
又、温度記憶部６１は、温度補正テーブル、湿度補正テーブル、閾値データＡ、閾値データＢ、閾値データＣを記憶している。
ここで、「温度補正テーブル」とは、後述する記録シート決定処理において決定される温度と定着温度との対応関係を示すテーブルのことをいう。図５は、温度補正テーブルの具体例を示す。
【００３０】
「湿度補正テーブル」とは、転写ローラ近傍湿度と定着温度の補正量との対応関係を示すテーブルのことをいう。図６は、「湿度補正テーブル」の具体例を示す。
「閾値データＡ」、「閾値データＢ」は、後述する記録シート温度決定処理（図３のステップＳ３０５、ステップＳ３１０）における、経過時間の判定基準値である所定時間（α）、所定時間（β）をそれぞれ示すデータのことをいう。
【００３１】
「閾値データＣ」とは、後述する定着温度決定処理（図４のステップＳ４０５）における、転写ローラ近傍湿度の判定基準値である閾値（γ）を示すデータのことをいう。
（操作パネル部６２）
タッチパネルが積層された表示部（例えば、液晶ディスプレイ）と複数の入力キーとを備え、タッチパネルからのタッチ入力又は入力キーからのキー入力により、利用者からの指示を受取り、制御部６０に通知する。
【００３２】
（タイマー部６３）
クロックをカウントし、カウント値を時刻に変換し、制御部６０に現在時刻として出力する。
（定着温度制御部５５）
後述する定着温度決定処理において、制御部６０より入力される定着温度の指示に従って磁束発生部５３に対する供給電力を制御することにより、加熱ローラ５１の表面温度が指示された定着温度に維持されるように制御する。
【００３３】
（制御部６０）
画像形成装置１００全体の制御を行うとともに、後述する記録シート温度決定処理及び定着温度決定処理を行う。  
＜動作＞
（記録シート温度決定処理）
図３は、制御部６０の行う記録シート温度決定処理の動作を示すフローチャートである。以下、図３を参照して、上記動作について説明する。
【００３４】
制御部６０は、電源がオンされたことを検知すると（ステップＳ３０１）、転写電圧制御用温度センサー４７より、検知された転写ローラ近傍温度を取得するとともに、タイマー部６３より現在時刻（ｔ）を取得し（ステップＳ３０２）、温度記憶部６１に記録シート温度決定用データが記録されているか否かを判定する（ステップＳ３０３）。
記録シート温度決定用データが記録されている場合には（ステップＳ３０３：Ｙ）、制御部６０は、記録シート温度決定用データに含まれる取得時刻と、ｔとを比較し（ステップＳ３０４）、取得時刻より所定時間（α）が経過しているか否かを判定する（ステップＳ３０５）。
【００３５】
取得時刻より所定時間（α）が経過している場合には（ステップＳ３０５：Ｙ）、制御部６０は、温度記憶部６１の記録シート温度決定用データに含まれる転写ローラ近傍温度を、転写電圧制御用温度センサー４７より取得した転写ローラ近傍温度に、記録シート温度決定用データに含まれる取得時刻をｔにそれぞれ書き換える（ステップＳ３０６）。  
ステップＳ３０５において、取得時刻より所定時間（α）が経過していない場合には（ステップＳ３０５：Ｎ）、制御部６０は、転写電圧制御用温度センサー４７より取得した転写ローラ近傍温度が、記録シート温度決定用データに含まれる転写ローラ近傍温度よりも低いか否かを判定し（ステップＳ３０７）、低くない場合には（ステップＳ３０７：Ｎ）、記録シート温度決定用データに含まれる取得時刻のみを、ｔに書き換え（ステップＳ３０８）、小さい場合には（ステップＳ３０７：Ｙ）、ステップＳ３０６の処理に移行する。
【００３６】
一方、ステップＳ３０３において、記録シート温度決定用データが記録されていない場合には（ステップＳ３０３：Ｎ）、制御部６０は、転写電圧制御用温度センサー４７より取得した転写ローラ近傍温度と、ｔとを対応付けて、温度記憶部６１に記録シート温度決定用データとして記録する（ステップＳ３０９）。
ステップＳ３０６、ステップＳ３０８、又はステップＳ３０９の処理の後、制御部６０は、ｔより所定時間（β）が経過したか否かを判定し（ステップＳ３１０）、ｔより所定時間（β）が経過している場合には（ステップＳ３１０：Ｙ）、ステップＳ３０２の処理に移行し、ｔより所定時間（β）が経過していない場合において（ステップＳ３１０：Ｎ）、操作パネル部６２から電源オフの指示が入力された場合に（ステップＳ３１１：Ｙ）、記録シート温度決定処理を終了する。
（定着温度決定処理）
図４は、制御部６０の行う定着温度決定処理の動作を示すフローチャートである。以下、図４を参照して、上記動作について説明する。
【００３７】
定着温度決定処理においては、操作パネル部６２から印刷指示の入力があった時に、記録シート温度決定用データに記録されている転写ローラ近傍温度を、記録シートＳの温度と推定して定着温度が決定される。
制御部６０は、操作パネル部６２から印刷指示の入力があると（ステップＳ４０１）、温度記憶部６１に記録されている記録シート温度決定用データを取得し（ステップＳ４０２）、さらに、温度記憶部６１に記録されている温度補正テーブルを参照して、当該温度補正テーブルにおいて、記録シート温度決定用データに含まれる転写ローラ近傍温度に対応する定着温度を、定着温度制御部５５に指示すべき定着温度として決定する（ステップＳ４０３）。
【００３８】
次に制御部６０は、転写電圧制御用湿度センサー４８により検知された転写ローラ近傍湿度を取得し（ステップＳ４０４）、取得した転写ローラ近傍湿度が閾値（γ）を超えているか否かを判定し（ステップＳ４０５）、閾値（γ）を超えている場合には（ステップＳ４０５：Ｙ）、温度記憶部６１に記録されている湿度補正テーブルを参照して、転写電圧制御用湿度センサー４８より取得した転写ローラ近傍湿度に対応する定着温度の補正量を特定し、ステップＳ４０３において決定した定着温度を、当該補正量だけ減算した定着温度に補正し（ステップＳ４０６）、補正した定着温度を定着温度制御部５５に通知する（ステップＳ４０７）。
【００３９】
一方、ステップＳ４０５において、閾値（γ）を超えていない場合には（ステップＳ４０５：Ｎ）、ステップＳ４０７の処理に移行し、決定した定着温度を定着温度制御部５５に通知する。
＜実施例＞
図７〜図９は、本実施の形態に係る記録シート温度決定処理によって、記録または更新された記録シート温度決定用データの転写ローラ近傍温度（以下、「推定記録シート温度」という。）と記録シートＳが収容されている給シートカセット４１近傍の環境温度の実測値（以下、「実測記録シート温度」という。）との関係の時間変化の具体例を示す図である。
【００４０】
図７〜図９において、縦軸は、温度を表し、横軸は、時間を示し、符号７１、８１、９１は、画像形成装置１００が印刷処理を実行している期間を表し、符号７２、８２、９２は、画像形成装置１００が、待機している期間を表し、符号９３は、画像形成装置１００が、電源オフの状態にある期間を表す。
又、図７〜図９において、符号７０１、８０１、９０１は、転写電圧制御用温度センサー４７によって検知された転写ローラ近傍温度の時間変化を表し、符号７０２、８０２、９０２は、推定記録シート温度の時間変化を表し、符号７０３、８０３、９０３は、実測記録シート温度の時間変化を表す。
【００４１】
図７では、転写ローラ近傍温度は、上昇傾向を示しながら、変化しているが、推定記録シート温度は、転写ローラ近傍温度に連動して変化することなく、ほぼ実測記録シート温度と同じ値を示している。
図８では、画像形成装置１００が、印刷処理を実行している期間において、推定記録シート温度と実測記録シート温度との差が大きくなっているが、その差は、転写ローラ近傍温度と実測記録シート温度との差よりも小さい。又、推定記録シート温度と実測記録シート温度との差は、画像形成装置１００が待機している期間に、その差が小さくなっている。
【００４２】
図９では、画像形成装置１００が印刷処理を実行している期間において、推定記録シート温度と実測記録シート温度との差が大きくなっているが、電源オフの期間の経過後に、画像形成装置１００において、図３のステップ３０５（ステップ３０５：Ｙ）、ステップ３０６の処理が実行されることにより、その差が解消されて実測記録シート温度との差がなくなっている。
【００４３】
上記の具体例に示すように、本実施の形態に係る記録シート温度決定処理を実行することにより、転写電圧制御用温度センサー４７により検知された転写ローラ近傍温度に基づいて、実際の記録シートの温度と解離が生じないように制御しつつ、記録シート温度の妥当な推定値を得ることができる。
＜補足＞
以上、本発明に係る画像形成装置１００について、について、実施の形態に基づいて説明したが、本発明はこの実施の形態に限られないことは勿論である。
（１）本実施の形態では、記録シート温度決定処理において、転写電圧制御用温度センサー４７により検知された転写ローラ近傍温度の取得を、所定時間(β)が経過する毎に定期的に行うこととしたが、定期的に取得する代わりに、印刷指示が操作パネル部６２から入力される毎に、転写ローラ近傍温度を取得することとしてもよい。
【００４４】
具体的には、図１０に示すように、図３のステップＳ３０１の処理を行う代わりに、操作パネル部６２からの印刷指示の入力を検出すると（ステップＳ１００１：Ｙ）、以降、図３に示すステップＳ３０２〜ステップＳ３０９と同じ処理を行うこととし、さらに、ステップＳ３０６、ステップＳ３０８、又はステップＳ３０９の処理の後、図３のステップＳ３１１の処理を行い、ステップＳ３１１の判定結果が否定的である場合には（ステップＳ３１１：Ｎ）、ステップＳ１００１の処理に移行することとしてもよい。
（２）本実施の形態においては、二次転写ローラ４５に印加する転写電圧を決定するために、転写ローラ近傍温度を検知する転写電圧制御用温度センサー４７から、検知された転写ローラ近傍温度を取得し、取得した転写ローラ近傍温度を用いて記録シート温度決定処理を実行し、記録シート温度を推定することとしたが、画像形成装置の備える他の温度センサー、例えば、定着装置５０に設けられた、加熱ローラの表面温度検知用のローラ温度センサー５４により検知された、加熱ローラの表面温度を用いて、記録シート温度決定処理を実行し、記録シート温度を推定することとしてもよい。
【産業上の利用可能性】
【００４５】
本発明は、複写機、プリンタ、ファックス若しくはこれらの複合機等の画像形成装置に関し、特に、画像形成装置における定着温度を適正に補正制御し、トナーの定着不良を防止する技術として利用できる。
【図面の簡単な説明】
【００４６】
【図１】本実施の形態における画像形成装置１００の全体の構成を示す断面概略図である。
【図２】画像形成装置１００の行う機内温度推定処理及び定着温度決定処理に係る、画像形成装置１００の機能構成を示す機能ブロック図である。
【図３】制御部６０の行う機内温度補正処理の動作を示すフローチャートである。
【図４】制御部６０の行う定着温度決定処理の動作を示すフローチャートである。
【図５】機内温度補正テーブルの具体例を示す。
【図６】「機内温度補正テーブル」の具体例を示す。
【図７】本実施の形態に係る機内温度補正処理によって補正された機内温度と記録シートが保存さている環境における環境温度の実測値との関係の時間変化の具体例を示す図である。
【図８】本実施の形態に係る機内温度補正処理によって補正された機内温度と記録シートが保存さている環境における環境温度の実測値との関係の時間変化の具体例を示す図である。
【図９】本実施の形態に係る機内温度補正処理によって補正された機内温度と記録シートが保存さている環境における環境温度の実測値との関係の時間変化の具体例を示す図である。
【図１０】制御部６０の行う機内温度補正処理の変形冷の動作を示すフローチャートである。
【符号の説明】
【００４７】
１０            光学部
１１            中間転写ベルト
１２            駆動ローラ
１３            従動ローラ
３０            画像プロセス部
３０Ｙ〜３０Ｋ  作像部
３１Ｙ〜３１Ｋ  感光体ドラム
３２Ｙ〜３２Ｋ  帯電器
３３Ｙ〜３３Ｋ  現像器
３４Ｙ〜３４Ｋ  一次転写ローラ
３５Ｙ          クリーナ
４０            給送部
４１            給シートカセット
４２            繰り出しローラ
４３            搬送路
４４            タイミングローラ対
４５            二次転写ローラ
４６            二次転写位置
４７            転写電圧制御用温度センサー
４８            転写電圧制御用湿度センサー
５０            定着装置
５１            加熱ローラ
５２            加圧ローラ
５３            磁束発生部
５４            ローラ温度センサー
５５            定着温度制御部
６０            制御部
６１            温度記憶部
６２            操作パネル部
６３            タイマー部
【図１】
2009103995.tif 000003
【図２】
2009103995.tif 000004
【図３】
2009103995.tif 000005
【図４】
2009103995.tif 000006
【図５】
2009103995.tif 000007
【図６】
2009103995.tif 000008
【図７】
2009103995.tif 000009
【図８】
2009103995.tif 000010
【図９】
2009103995.tif 000011
【図１０】
2009103995.tif 000012